(57)【特許請求の範囲】
【請求項１】
移動局装置が交換機と行う通信にかかるデータの中継を行う基地局装置であって、
前記通信の実行中に、前記交換機から、該交換機において前記移動局装置と行う通信にかかるデータについてデータ圧縮解凍処理が開始されることを示す圧縮解凍処理実施通知メッセージ、および該データ圧縮解凍処理が停止されることを示す圧縮解凍処理不実施通知メッセージを受信するメッセージ受信手段と、
前記メッセージ受信手段において受信される信号に基づき、前記移動局装置が前記交換機と行う通信にかかるデータについて、前記交換機においてデータ圧縮解凍処理が行われるか否か判断するデータ圧縮解凍処理実施有無判断手段と、
前記データ圧縮解凍処理実施有無判断手段において前記データ圧縮解凍処理が行われないと判断された場合、前記交換機が前記移動局装置に対して送信するデータについてのデータ圧縮処理と、前記移動局装置が前記交換機に対して送信するデータについてのデータ解凍処理と、を開始し、前記データ圧縮解凍処理実施有無判断手段において前記データ圧縮解凍処理が行われると判断された場合、前記交換機が前記移動局装置に対して送信するデータについてのデータ圧縮処理と、前記移動局装置が前記交換機に対して送信するデータについてのデータ解凍処理と、を停止する処理手段と、
を含むことを特徴とする基地局装置。
【請求項２】
請求項１に記載の基地局装置において、
当該基地局装置は、
前記移動局装置が送信するデータのうち、データ圧縮処理により前記移動局装置において省略されるデータを記憶する省略制御データ記憶手段、
をさらに含み、
前記処理手段は、前記移動局装置が送信したデータに、前記省略制御データ記憶手段に記憶されるデータを付加することにより、前記移動局装置が前記交換機に対して送信するデータについてデータ解凍処理を行い、
当該基地局装置は、
所定の場合に、前記省略制御データ記憶手段に記憶されるデータを、前記交換機又は他の基地局装置に送信する送信手段、
をさらに含む、
ことを特徴とする基地局装置。
【請求項３】
請求項２に記載の基地局装置において、
当該基地局装置は、
前記移動局装置のハンドオーバ先候補である他の基地局装置を示すハンドオーバ先候補基地局装置情報を取得するハンドオーバ先候補基地局装置情報取得手段、
をさらに含み、
前記送信手段は、前記省略制御データ記憶手段に記憶されるデータを、前記ハンドオーバ先候補基地局装置情報により示される基地局装置に送信する、
ことを特徴とする基地局装置。
【請求項４】
請求項２又は３に記載の基地局装置において、
当該基地局装置は、
前記移動局装置と行う無線通信の通信状態を示す通信状態情報を取得する通信状態情報取得手段、
をさらに含み、
前記送信手段は、前記通信状態情報に応じて、前記省略制御データ記憶手段に記憶されるデータを、他の基地局装置に送信する、
ことを特徴とする基地局装置。
【請求項５】
請求項２に記載の基地局装置において、
当該基地局装置は、
前記処理手段によるデータ解凍処理を行っている場合に、前記交換機がデータ解凍処理可能となったか否かを判断するデータ解凍処理実施可否判断手段、
をさらに含み、
前記送信手段は、前記データ解凍処理実施可否判断手段による判断の結果、前記交換機がデータ解凍処理可能であることが示される場合に、前記省略制御データ記憶手段に記憶されるデータを、前記交換機に送信する、
ことを特徴とする基地局装置。
【請求項６】
請求項２、３、又は５のいずれか１項に記載の基地局装置において、
前記送信手段は、当該基地局装置の処理量に応じて、前記省略制御データ記憶手段に記憶されるデータを、他の基地局装置に送信する、
ことを特徴とする基地局装置。
【請求項７】
移動局装置が交換機と行う通信にかかるデータの中継を行うデータ中継方法であって、
前記通信の実行中に、前記交換機から、該交換機において前記移動局装置と行う通信にかかるデータについてデータ圧縮解凍処理が開始されることを示す圧縮解凍処理実施通知メッセージ、および該データ圧縮解凍処理が停止されることを示す圧縮解凍処理不実施通知メッセージを受信するメッセージ受信ステップと、
前記メッセージ受信ステップにおいて受信される信号に基づき、前記移動局装置が前記交換機と行う通信にかかるデータについて、前記交換機においてデータ圧縮解凍処理が行われるか否か判断するデータ圧縮解凍処理実施有無判断ステップと、
前記データ圧縮解凍処理実施有無判断ステップにおいて前記データ圧縮解凍処理が行われないと判断された場合、前記交換機が前記移動局装置に対して送信するデータについてのデータ圧縮処理と、前記移動局装置が前記交換機に対して送信するデータについてのデータ解凍処理と、を開始し、前記データ圧縮解凍処理実施有無判断ステップにおいて前記データ圧縮解凍処理が行われると判断された場合、前記交換機が前記移動局装置に対して送信する装置についてのデータ圧縮処理と、前記移動局装置が前記交換機に対して送信するデータについてのデータ解凍処理と、を停止する処理ステップと、
を含むことを特徴とするデータ中継方法。
【発明の詳細な説明】
【技術分野】
【０００１】
本発明は基地局装置及びデータ中継方法に関し、特に交換機と移動局装置との間で行われる通信にかかるデータについてのデータ圧縮解凍処理技術に関する。
【背景技術】
【０００２】
移動体通信システムを介して行われるパケット通信では、送受信されるデータの量を極力減らすため、データサイズを圧縮解凍する処理（以下、データ圧縮解凍処理と称する。）が行われる。具体的には、送信の際に、通信データ（パケットペイロード）とともに送受信される制御データ（パケットヘッダ）の一部を省略（圧縮）し、受信の際には、省略された制御データを復元（解凍）する処理が行われる。データ圧縮解凍処理を実現する技術の具体的な例としては、ＣＲＴＰ(Compressed RTP)やＲＯＨＣ(ロバストヘッダ圧縮:RObust Header Compression)がある。
【０００３】
特許文献１及び特許文献２には、移動体通信システムにおけるデータ圧縮解凍処理に関する技術の例が示されている。いずれの文献に記載される技術においても、移動体通信システムは移動局装置（ＭＳ，ＡＴ）、基地局装置（ＢＳ）、及び交換機（ＰＤＳＮ）を含んで構成されており、データ圧縮処理は移動局装置と交換機の間で行われる。このようにデータ圧縮解凍処理が移動局装置と交換機の間で行われるのは、移動局装置が基地局装置間をハンドオーバした際にもデータ圧縮解凍処理を継続できるようにするためである。
【特許文献１】特表２００５−５２９５５４号公報（第００５５段落，図１）
【特許文献２】特開２００５−２１７６２６号公報（図４，図５）
【発明の開示】
【発明が解決しようとする課題】
【０００４】
しかしながら、特許文献１にも示されているように、交換機がデータ圧縮解凍処理を行うことができない場合がある。交換機と移動局装置とで対応している圧縮方式が異なる場合や、交換機の処理負荷が過大になりデータ圧縮解凍処理を行う余裕がない場合である。交換機がデータ圧縮解凍処理を行えないと移動局装置との間で送受信されるデータの量が多くなる。
【０００５】
移動体通信システムでは、無線区間の帯域が限られているため、移動局装置と交換機の間で送受信されるデータの量が多くなると、特に無線区間において遅延が発生する場合がある。この遅延は、無線区間だけでもデータ圧縮解凍処理を行えば回避され得る。にも関わらず、従来は交換機と移動局装置の間でしかデータ圧縮解凍処理を行っておらず、交換機でデータ圧縮解凍処理ができない場合、上記遅延が放置されることとなってしまっていた。
【０００６】
従って、本発明の課題の一つは、交換機と移動局装置との間で行われる通信について、交換機がデータ圧縮解凍処理を行わない場合に、基地局装置と移動局装置の間の無線区間についてデータ圧縮解凍処理を行える基地局装置及びデータ中継方法を提供することにある。
【課題を解決するための手段】
【０００７】
上記課題を解決するための本発明の請求項１にかかる基地局装置は、移動局装置が交換機と行う通信にかかるデータの中継を行う基地局装置であって、前記通信の実行中に、前記交換機から、該交換機が前記移動局装置と行う通信にかかるデータについてデータ圧縮解凍処理が開始されることを示す圧縮解凍処理実施通知メッセージ、および該データ圧縮解凍処理が停止されることを示す圧縮解凍処理不実施通知メッセージを受信するメッセージ受信手段と、前記メッセージ受信手段において受信される信号に基づき、前記移動局装置が前記交換機と行う通信にかかるデータについて、前記交換機においてデータ圧縮解凍処理が行われるか否か判断するデータ圧縮解凍処理実施有無判断手段と、前記データ圧縮解凍処理実施有無判断手段において前記データ圧縮解凍処理が行われないと判断された場合、前記交換機が前記移動局装置に対して送信するデータについてのデータ圧縮処理と、前記移動局装置が前記交換機に対して送信するデータについてのデータ解凍処理と、を開始し、前記データ圧縮解凍処理実施有無判断手段において前記データ圧縮解凍処理が実行されると判断された場合、前記交換機が前記移動局装置に対して送信するデータについてのデータ圧縮処理と、前記移動局装置が前記交換機に対して送信するデータについてのデータ解凍処理と、を停止する処理手段と、を含むことを特徴とする。
【０００８】
これによれば、交換機と移動局装置との間で行われる通信について、交換機がデータ圧縮解凍処理を行わない場合に、基地局装置と移動局装置の間の無線区間についてデータ圧縮解凍処理を行うことができる。
【００１０】
例えば３ＧＰＰ２(Third Generation Partnership Project 2)では、通信を開始する際、移動局装置は、交換機に対してRSVP RESVメッセージという制御データを送信する。このRSVP RESVメッセージには、データ圧縮解凍処理の圧縮方式を示す情報が含まれている。RSVP RESVメッセージを受信した交換機は、該メッセージにより示される圧縮方式に自身が対応していない場合などデータ圧縮処理を行うことができない場合に、データ圧縮解凍処理不実施通知メッセージを返送する。一方、データ圧縮解凍処理を行える場合には、データ圧縮解凍処理実施通知メッセージを返送する。
【００１１】
上記基地局装置は、こうして交換機が移動局装置に対して送信する制御データ(データ圧縮解凍処理不実施通知メッセージやデータ圧縮解凍処理実施通知メッセージ)に基づいて、移動局装置が交換機と行う通信にかかるデータについて、データ圧縮解凍処理が行われるか否か判断できる。
【００１２】
また、本発明の請求項２にかかる基地局装置は、上記請求項１にかかる基地局装置において、当該基地局装置は、前記移動局装置が送信するデータのうち、データ圧縮処理により前記移動局装置において省略されるデータを記憶する省略制御データ記憶手段、をさらに含み、前記処理手段は、前記移動局装置が送信したデータに、前記省略制御データ記憶手段に記憶されるデータを付加することにより、前記移動局装置が前記交換機に対して送信するデータについてデータ解凍処理を行い、当該基地局装置は、所定の場合に、前記省略制御データ記憶手段に記憶されるデータを、前記交換機又は他の基地局装置に送信する送信手段、をさらに含む、ことを特徴とする。
【００１３】
これによれば、上記基地局装置は、所定の場合に、データ解凍処理を交換機や他の基地局装置に引き継ぐことができる。
【００１４】
また、本発明の請求項３にかかる基地局装置は、上記請求項２にかかる基地局装置において、当該基地局装置は、前記移動局装置のハンドオーバ先候補である他の基地局装置を示すハンドオーバ先候補基地局装置情報を取得するハンドオーバ先候補基地局装置情報取得手段、をさらに含み、前記送信手段は、前記省略制御データ記憶手段に記憶されるデータを、前記ハンドオーバ先候補基地局装置情報により示される基地局装置に送信する、ことを特徴とする。
【００１５】
これによれば、上記基地局装置は、移動局装置のハンドオーバ先候補である基地局装置に、データ解凍処理を引き継ぐ準備を行うことができる。
【００１６】
また、本発明の請求項４にかかる基地局装置は、上記請求項２又は３にかかる基地局装置において、当該基地局装置は、前記移動局装置と行う無線通信の通信状態を示す通信状態情報を取得する通信状態情報取得手段、をさらに含み、前記送信手段は、前記通信状態情報に応じて、前記省略制御データ記憶手段に記憶されるデータを、他の基地局装置に送信する、ことを特徴とする。
【００１７】
これによれば、上記基地局装置は、例えば移動局装置との通信状態が悪化しハンドオーバが発生しそうになった場合に、他の基地局装置にデータ解凍処理を引き継ぐ準備を行うことができる。
【００１８】
また、本発明の請求項５にかかる基地局装置は、上記請求項２にかかる基地局装置において、当該基地局装置は、前記処理手段によるデータ解凍処理を行っている場合に、前記交換機がデータ解凍処理可能となったか否かを判断するデータ解凍処理実施可否判断手段、をさらに含み、前記送信手段は、前記データ解凍処理実施可否判断手段による判断の結果、前記交換機がデータ解凍処理可能であることが示される場合に、前記省略制御データ記憶手段に記憶されるデータを、前記交換機に送信する、ことを特徴とする。
【００１９】
これによれば、上記基地局装置は、交換機がデータ解凍処理可能となった場合に、交換機にデータ解凍処理を引き継ぐことができる。
【００２０】
また、本発明の請求項６にかかる基地局装置は、上記請求項２、３、又は５のいずれか１項にかかる基地局装置において、前記送信手段は、当該基地局装置の処理量に応じて、前記省略制御データ記憶手段に記憶されるデータを、他の基地局装置に送信する、ことを特徴とする。
【００２１】
これによれば、上記基地局装置は、例えば自身の処理量が過大となっている場合に、交換機にデータ解凍処理を引き継ぐことができる。
【００２２】
また、本発明の請求項７にかかるデータ中継方法は、移動局装置が交換機と行う通信にかかるデータの中継を行うデータ中継方法であって、前記通信の実行中に、前記交換機から、該交換機が前記移動局装置と行う通信にかかるデータについてデータ圧縮解凍処理が開始されることを示す圧縮解凍処理実施通知メッセージ、および該データ圧縮解凍処理が停止されることを示す圧縮解凍処理不実施通知メッセージを受信するメッセージ受信手段と、前記メッセージ受信手段において受信される信号に基づき、前記移動局装置が前記交換機と行う通信にかかるデータについて、前記交換機においてデータ圧縮解凍処理が行われるか否か判断するデータ圧縮解凍処理実施有無判断ステップと、前記データ圧縮解凍処理実施有無判断ステップにおいて前記データ圧縮解凍処理が行われないと判断された場合、前記交換機が前記移動局装置に対して送信するデータについてのデータ圧縮処理と、前記移動局装置が前記交換機に対して送信するデータについてのデータ解凍処理と、を開始し、前記データ圧縮解凍処理実施有無判断手段において前記データ圧縮解凍処理が実行されると判断された場合、前記交換機が前記移動局装置に対して送信するデータについてのデータ圧縮処理と、前記移動局装置が前記交換機に対して送信するデータについてのデータ解凍処理と、を停止する処理ステップと、を含むことを特徴とする。
【発明を実施するための最良の形態】
【００２３】
本発明の実施の形態について、図面を参照しながら説明する。
【００２４】
図１は、本実施の形態にかかる移動体通信システム１のシステム構成を示す図である。移動体通信システム１は３ＧＰＰ２の規格に従って構築されており、同図に示すように、移動体通信システム１は交換機１０、基地局装置２０、移動局装置３０を含んで構成される。
【００２５】
交換機１０、基地局装置２０、移動局装置３０はいずれもＣＰＵ及びメモリを備え、通信装置として機能するコンピュータである。ＣＰＵは、メモリに記憶されるプログラムを実行するための処理ユニットであり、各装置の各部を制御する処理を行うとともに、後述する各機能を実現する。メモリは本実施の形態を実施するためのプログラムやデータを記憶している。また、ＣＰＵのワークメモリとしても動作する。
【００２６】
移動局装置３０は基地局装置２０を介して交換機１０と通信を行うことにより、交換機１０経由で、図示しない他の通信装置との通信を行う。ここではこの通信はＩＰパケット通信であり、さらに無線区間では、このＩＰパケットが無線プロトコルによりカプセリングされる。
【００２７】
基地局装置２０は、移動局装置３０及び交換機１０とそれぞれ通信を行い、移動局装置３０が交換機１０と行う通信にかかるデータを中継する。すなわち、基地局装置２０は、移動局装置３０が送信した無線パケットを受信し、該無線パケットに含まれるＩＰパケットを交換機１０に送信するとともに、交換機１０が送信したＩＰパケットを受信し、該ＩＰパケットを含む無線パケットを生成して移動局装置３０に送信する。
【００２８】
基地局装置２０は街中や山中など様々な場所に配置されており、移動局装置３０は最も通信しやすい基地局装置２０との間で通信を行う。具体的な例では、基地局装置２０は所定の送信電力で所定のパイロット信号を送信しており、移動局装置３０は、複数の基地局装置２０から該パイロット信号を受信した場合、そのうちＳＩＮＲ(Signal to Interference and Noise Ratio:信号対干渉雑音比)がもっとも大きいものを送信した基地局装置２０との間で通信を行う。
【００２９】
移動局装置３０はまた、ある基地局装置２０と通信している場合であっても、その通信状態が悪化した場合には、その基地局装置２０との通信を中止し、他の基地局装置２０との間での通信を開始する。交換機１０、基地局装置２０、移動局装置３０はそれぞれ、これを実現するためのハンドオーバ処理を行う。
【００３０】
ところで、移動局装置３０が交換機１０と行う通信にかかるデータについては、原則としてデータ圧縮解凍処理が行われる。具体的には、ＣＲＴＰやＲＯＨＣによるデータ圧縮解凍処理が行われる。
【００３１】
より具体的には、移動局装置３０及び交換機１０は、送信の際に、ＩＰパケットヘッダの一部を省略することによりパケットサイズを圧縮し、受信の際には、省略されたＩＰパケットヘッダを復元（解凍）する。
【００３２】
さらに具体的には、移動局装置３０は、最初に、省略していないＩＰパケットヘッダを含む無線パケットを送信する。交換機１０はこの無線パケットに含まれるＩＰパケットを受信し、ＩＰパケットヘッダのうち省略される部分を記憶する。こうして記憶される部分はコンテキストと呼ばれる。次に、移動局装置３０は、ＩＰパケットヘッダの上記部分を省略した無線パケットを送信する。交換機１０はこの無線パケットに含まれるＩＰパケットを受信し、省略されたＩＰパケットヘッダを、記憶しているコンテキストにより復元する。
【００３３】
同様に、交換機１０は、最初に、省略していないＩＰパケットヘッダを含むＩＰパケットを送信する。移動局装置３０はこのＩＰパケットを含む無線パケットを受信し、ＩＰパケットヘッダのうち省略される部分を記憶する。こうして記憶される部分もコンテキストと呼ばれる。次に、交換機１０は、ＩＰパケットヘッダの上記部分を省略したＩＰパケットを送信する。移動局装置３０はこのＩＰパケットを含む無線パケットを受信し、省略されたＩＰパケットヘッダを、記憶しているコンテキストにより復元する。
【００３４】
交換機１０がこのデータ圧縮解凍処理を行わない場合には、基地局装置２０が交換機１０に替わってデータ圧縮解凍処理を行う。この場合、移動局装置３０が基地局装置２０と行う通信にかかるデータについてはデータ圧縮解凍処理が行われ、基地局装置２０が交換機１０と行う通信にかかるデータについてはデータ圧縮解凍処理が行われないこととなるが、少なくとも無線区間についてはデータ圧縮解凍処理が行われることになる。以下では、これを実現するための基地局装置２０の機能の詳細について説明する。
【００３５】
図２は、基地局装置２０の機能ブロックを示す図である。同図に示すように、基地局装置２０は機能的に、ネットワーク制御部２１、通信処理機能部２２、無線制御部２３、コンテキスト記憶部２４、及びコンテキスト送信原因発生検出部２５を含んで構成される。通信処理機能部２２はさらに内部的に、ＲＳＶＰスチール部２２０、圧縮解凍処理部２２１、コンテキスト送信部２２２を含んで構成される。また、コンテキスト送信原因発生検出部２５はさらに内部的に、交換機状態判断部２５０、ハンドオーバ先候補取得部２５１、通信状態情報取得部２５２、処理量取得部２５３を含んで構成される。
【００３６】
通信処理機能部２２は、移動局装置３０が交換機１０と行う通信にかかるデータを中継する。具体的には、ネットワーク制御部２１は交換機１０が送信するＩＰパケットを受信し、通信処理機能部２２に出力する。通信処理機能部２２は、ネットワーク制御部２１から入力されたＩＰパケットを無線プロトコルによりカプセリングして無線パケットとし、無線制御部２３に出力する。無線制御部２３は、通信処理機能部２２から入力された無線パケットを移動局装置３０に対して送信する。また、無線制御部２３は移動局装置３０が送信する無線パケットを受信し、通信処理機能部２２に出力する。通信処理機能部２２は、無線制御部２３から入力された無線パケットからＩＰパケットを取り出し、ネットワーク制御部２１に出力する。ネットワーク制御部２１は、通信処理機能部２２から入力されたＩＰパケットを交換機１０に対して送信する。
【００３７】
ところで、移動局装置３０は、通信開始時に、交換機１０に対して送信する無線パケットに含めるＩＰパケットの一部に、データ圧縮解凍処理の圧縮方式を示すＰＦＴ(Packet filter treatment)と呼ばれる情報要素を含むRSVP(Resource ReSerVation Protocol) RESV(Reserve)メッセージを含める。圧縮方式の具体的な例は３ＧＰＰ２が発行するX.S0011-004-C v1.0に規定されており、例えばROHC RTP ProfileやECRTPなどがある。
【００３８】
交換機１０は、このRSVP RESVメッセージを受信すると、ＰＦＴにより示される圧縮方式でのデータ圧縮解凍処理が可能であるか否か判断する。可能であると判断した場合には、移動局装置３０に対して送信するＩＰパケットに、データ圧縮解凍処理を行うことを示す情報要素を含むデータ圧縮解凍処理実施通知メッセージを含める。一方、可能でないと判断した場合には、該パケットに、データ圧縮解凍処理を行わないこと及びその理由を示すTFT error codeと呼ばれる情報要素を含むデータ圧縮解凍処理不実施通知メッセージを含める。この理由の具体的な例もX.S0011-004-C v1.0に規定されており、代表的なものには、圧縮方式への不対応や他の処理との競合などが挙げられる。なお、３ＧＰＰ２では、データ圧縮解凍処理実施通知メッセージ及びデータ圧縮解凍処理不実施通知メッセージは、RSVP RESVCONF(Reserve Confirm) メッセージ又はRSVP RESVERR(Reserve Error)メッセージの一部として送受信される。
【００３９】
ＲＳＶＰスチール部２２０は、移動局装置３０が交換機１０と行う通信にかかるデータについて、データ圧縮解凍処理が行われるか否か判断する。具体的には、交換機１０が移動局装置３０に対して送信するデータ圧縮解凍処理を行うか否かを示す制御データに基づき、この判断を行う。
【００４０】
より具体的には、ＲＳＶＰスチール部２２０は、移動局装置３０から交換機１０に対して送信されるRSVP RESVメッセージ、及び交換機１０から移動局装置３０に対して送信されるデータ圧縮解凍処理実施通知メッセージ又はデータ圧縮解凍処理不実施通知メッセージを取得する（これをスチール(steal)するという。）。データ圧縮解凍処理実施通知メッセージが取得された場合、ＲＳＶＰスチール部２２０は、移動局装置３０が交換機１０と行う通信にかかるデータについて、データ圧縮解凍処理が行われると判断する。一方、データ圧縮解凍処理不実施通知メッセージが取得された場合、ＲＳＶＰスチール部２２０は、移動局装置３０が交換機１０と行う通信にかかるデータについて、データ圧縮解凍処理が行われないと判断する。
【００４１】
データ圧縮解凍処理が行われないと判断した場合、ＲＳＶＰスチール部２２０は、RSVP RESVメッセージに含まれるＰＦＴから移動局装置３０が求める圧縮方式を取得し、圧縮解凍処理部２２１がこの圧縮方式に対応しているか否かを判断する。対応していない場合には、交換機１０が送信したデータ圧縮解凍処理不実施通知メッセージを含むＩＰパケットを、データ圧縮解凍処理不実施通知メッセージを含んだまま、移動局装置３０に中継する。一方、対応している場合には圧縮解凍処理部２２１に対し、当該基地局装置２０と移動局装置３０との間で行われる通信について、データ圧縮解凍処理を開始するよう指示する。また、交換機１０が送信したＩＰパケットからデータ圧縮解凍処理不実施通知メッセージを消去した上で、該ＩＰパケットにデータ圧縮解凍処理実施通知メッセージを含め、移動局装置３０に対して送信する。
【００４２】
圧縮解凍処理部２２１は、ＲＳＶＰスチール部２２０の判断結果に応じて、交換機１０が移動局装置３０に対して送信するデータについてのデータ圧縮処理と、移動局装置３０が交換機１０に対して送信するデータについてのデータ解凍処理と、の少なくとも一方を行う。ここでは、圧縮解凍処理部２２１は、ＲＳＶＰスチール部２２０からデータ圧縮解凍処理を開始するよう指示されると、移動局装置３０と基地局装置２０の間で行われる通信にかかるＩＰパケットについて、データ圧縮解凍処理を開始する。
【００４３】
圧縮解凍処理部２２１が行うデータ圧縮解凍処理について具体的に説明する。
【００４４】
交換機１０が移動局装置３０に対して送信するＩＰパケットについて、圧縮解凍処理部２２１はデータ圧縮処理を行う。すなわち、最初に、交換機１０から受信したＩＰパケットについて、ＩＰパケットヘッダを省略せずに無線パケットに含めて送信する。この場合において、圧縮解凍処理部２２１は、次のＩＰパケットから省略しようとする部分の内容（コンテキスト）を、コンテキスト記憶部２４に記憶させる。その後は、交換機１０から受信したＩＰパケットについて、ＩＰパケットヘッダのうちコンテキスト記憶部２４に記憶させた部分を省略した上で無線パケットに含め、送信する。
【００４５】
移動局装置３０が交換機１０に対して送信するＩＰパケットについては、圧縮解凍処理部２２１はデータ解凍処理を行う。すなわち、移動局装置３０から、省略していないＩＰパケットヘッダを含む無線パケットを受信した場合、移動局装置３０が行うデータ圧縮処理により該移動局装置３０において省略されるデータを記憶する。すなわち、無線パケットに含まれるＩＰパケットヘッダのうち、所定の一部の内容（コンテキスト）をコンテキスト記憶部２４に記憶させる。その後、ＩＰパケットヘッダのうち所定の一部を省略した無線パケットを受信した場合には、コンテキスト記憶部２４に記憶しているコンテキストを付加することにより、省略していないＩＰパケットヘッダを含むＩＰパケットを復元し、交換機１０に対して送信する。
【００４６】
コンテキスト送信部２２２は、所定の場合に、コンテキスト記憶部２４に記憶されるデータを、交換機１０又は他の基地局装置２０に送信する。具体的には、コンテキスト送信原因発生検出部２５が所定原因の発生を検出した場合に、コンテキスト送信部２２２はコンテキスト記憶部２４に記憶されるデータを、交換機１０又は他の基地局装置２０に送信する。以下、コンテキスト送信原因発生検出部２５の各部について説明する。
【００４７】
交換機状態判断部２５０は、圧縮解凍処理部２２１がデータ解凍処理を行っている場合に、交換機１０がデータ解凍処理又はデータ圧縮処理を行えるようになったか否かを判断する。具体的には、交換機１０に対して定期的にデータ圧縮解凍処理の圧縮方式を示すＰＦＴを含むRSVP RESVメッセージを送信する。交換機１０は、このメッセージに対して上記同様データ圧縮解凍処理実施通知メッセージ又はデータ圧縮解凍処理不実施通知メッセージを返送する。交換機状態判断部２５０は、交換機１０からデータ圧縮解凍処理実施通知メッセージを受信した場合、上記所定原因のうちのひとつの発生を検出する。この検出がなされた場合、交換機状態判断部２５０は、交換機１０がデータ解凍処理又はデータ圧縮処理を行えるようになったと判断し、コンテキスト送信部２２２に対して、コンテキスト記憶部２４に記憶されるデータを、交換機１０に対して送信するよう指示する。コンテキスト送信部２２２は、この指示に従い、コンテキスト記憶部２４に記憶されるデータを、交換機１０に対して送信する。
【００４８】
なお、交換機状態判断部２５０は、ＲＳＶＰスチール部２２０がスチールしたデータ圧縮解凍処理不実施通知メッセージに含まれるTFT error codeにより示される理由によっては、上記RSVP RESVメッセージを送信しないようにすることが好適である。例えば、TFT
error codeにより示される理由が圧縮方式への不対応である場合、交換機１０のファイル更新が行われない限り、交換機１０がデータ解凍処理又はデータ圧縮処理を行えるようになることはないからである。
【００４９】
ハンドオーバ先候補取得部２５１は、当該基地局装置２０と通信中の移動局装置３０のハンドオーバ先候補である他の基地局装置２０を示すハンドオーバ先候補基地局装置情報を取得する。具体的には、移動局装置３０は各基地局装置２０から上記パイロット信号を受信し、受信されたパイロット信号のＳＩＮＲに基づき、ハンドオーバ先候補の基地局装置２０を決定している。該移動局装置３０と通信中の基地局装置２０は、この決定の結果を該移動局装置３０から受信することによって、ハンドオーバ先候補基地局装置情報を取得する。ハンドオーバ先候補取得部２５１は、こうしてハンドオーバ先候補基地局装置情報を取得した場合に、上記所定原因のうちのひとつの発生を検出する。この検出がなされた場合、ハンドオーバ先候補取得部２５１は、コンテキスト送信部２２２に対して、ハンドオーバ先候補基地局装置情報により示される基地局装置２０に対し、コンテキスト記憶部２４に記憶されるデータを送信するよう、指示する。コンテキスト送信部２２２は、この指示に従い、コンテキスト記憶部２４に記憶されるデータを、他の基地局装置２０に対して送信する。
【００５０】
なお、基地局装置２０に地理的に隣接する位置にある他の基地局装置２０を示す情報を記憶しておき、ハンドオーバ先候補取得部２５１は、この情報により示される他の基地局装置２０の全てをハンドオーバ先候補とすることも好適である。この場合には、ハンドオーバ先候補取得部２５１は、通信が開始される都度、上記所定原因のひとつの発生を検出する。この検出がなされた場合のハンドオーバ先候補取得部２５１及びコンテキスト送信部２２２の処理は、上記同様である。
【００５１】
通信状態情報取得部２５２は、当該基地局装置２０が移動局装置３０と行う無線通信の通信状態を示す通信状態情報を取得する。ここでいう通信状態情報は、例えばＳＩＮＲ、受信電力、フレームエラーレートのように、無線通信が良好に行われる程度を示す情報である。通信状態情報取得部２５２は、この通信状態情報により示される通信状態に応じて、上記所定原因のうちのひとつの発生を検出する。具体的には、この通信状態情報により示される通信状態が所定の状態より悪化した場合に、上記所定原因のうちのひとつの発生を検出する。この検出がなされた場合、通信状態情報取得部２５２は、コンテキスト送信部２２２に対して、上記ハンドオーバ先候補基地局装置情報により示される基地局装置２０又は交換機１０のうちの少なくとも一方に対し、コンテキスト記憶部２４に記憶されるデータを送信するよう、指示する。コンテキスト送信部２２２は、この指示に従い、コンテキスト記憶部２４に記憶されるデータを、他の基地局装置２０又は交換機１０に対して送信する。
【００５２】
処理量取得部２５３は、当該基地局装置２０の処理量を取得する。ここでいう処理量は、基地局装置２０のＣＰＵ使用率や処理すべき呼の量など、基地局装置２０の処理の逼迫度を示す情報である。処理量取得部２５３は、この処理量に応じて、上記所定原因のうちのひとつの発生を検出する。具体的には、処理量が所定量を上回った場合に、上記所定原因のうちのひとつの発生を検出する。この検出がなされた場合、処理量取得部２５３は、コンテキスト送信部２２２に対して、上記ハンドオーバ先候補基地局装置情報により示される基地局装置２０又は交換機１０のうちの少なくとも一方に対し、コンテキスト記憶部２４に記憶されるデータを送信するよう、指示する。コンテキスト送信部２２２は、この指示に従い、コンテキスト記憶部２４に記憶されるデータを、他の基地局装置２０又は交換機１０に対して送信する。
【００５３】
以上説明した処理の一例について、移動体通信システム１の処理シーケンス図を参照しながら再度詳細に説明する。
【００５４】
まず、移動局装置３０と交換機１０の間で通信が確立される（Ｓ１）。すると、移動局装置３０は、交換機１０に対し、RSVP RESVメッセージを送信する（Ｓ２）。このとき、基地局装置２０は、このRSVP RESVメッセージを取得する。これを受信した交換機１０が移動局装置３０に対してデータ圧縮解凍処理不実施通知メッセージを返送する（Ｓ３）と、基地局装置２０はこれを取得し、データ圧縮解凍処理実施通知メッセージに代えて移動局装置３０に対して送信する（Ｓ４）。これによって、移動局装置３０と基地局装置２０との間ではデータ圧縮解凍処理を行うヘッダ圧縮通信が行われ（Ｓ５）、一方基地局装置２０と交換機１０との間ではデータ圧縮解凍処理を行わないヘッダ非圧縮通信が行われる（Ｓ６）。
【００５５】
この状態で基地局装置２０が移動局装置３０のハンドオーバを検知した場合（Ｓ７）（すなわち、通信状態情報取得部２５２により取得される通信状態情報により示される通信状態が所定の状態より悪化した場合）、基地局装置２０は、ハンドオーバ先候補基地局装置情報により示される他の基地局装置２０（不図示）又は交換機１０に対して、RSVP RESVメッセージ及びコンテキスト記憶部２４に記憶されるデータを送信する（Ｓ８）。
【００５６】
これを受信した他の基地局装置２０又は交換機１０が当該基地局装置２０に対し、データ圧縮解凍処理実施通知メッセージを送信する（Ｓ９）と、当該基地局装置２０はデータ圧縮解凍処理を引き継ぐことを決定し、データ圧縮解凍処理を中止する。その後は、他の基地局装置２０又は交換機１０が、移動局装置３０との間でヘッダ圧縮通信を行う（Ｓ１０）。
【００５７】
以上説明したように、基地局装置２０によれば、交換機１０と移動局装置３０との間で行われる通信について、交換機１０がデータ圧縮解凍処理を行わない場合に、基地局装置２０と移動局装置３０の間の無線区間についてデータ圧縮解凍処理を行うことができる。
【００５８】
また、基地局装置２０は、交換機１０が移動局装置３０に対して送信する制御データ(データ圧縮解凍処理不実施通知メッセージやデータ圧縮解凍処理実施通知メッセージ)に基づいて、移動局装置３０が交換機１０と行う通信にかかるデータについて、データ圧縮解凍処理が行われるか否か判断できる。
【００５９】
さらに、基地局装置２０は、所定の場合に、データ解凍処理を交換機１０や他の基地局装置２０に引き継ぐことができる。具体的には、移動局装置３０のハンドオーバ先候補である基地局装置２０に、データ解凍処理を引き継ぐ準備を行うことができる。そしてさらに、例えば移動局装置３０との通信状態が悪化しハンドオーバが発生しそうになった場合に、他の基地局装置２０にデータ解凍処理を引き継ぐ準備を行うことができる。
【００６０】
他にも、基地局装置２０は、交換機１０がデータ解凍処理可能となった場合に、交換機１０にデータ解凍処理を引き継ぐことができる。また、基地局装置２０は、例えば自身の処理量が過大となっている場合に、交換機１０にデータ解凍処理を引き継ぐことができる。
【図面の簡単な説明】
【００６１】
【図１】本発明の実施の形態に係る移動体通信システムのシステム構成を示す図である。
【図２】本発明の実施の形態に係る基地局装置の機能ブロックを示す図である。
【図３】本発明の実施の形態に係る移動体通信システムの処理シーケンスを示す図である。
【符号の説明】
【００６２】
１  移動体通信システム、１０  交換機、２０  基地局装置、２１  ネットワーク制御部、２２  通信処理機能部、２３  無線制御部、２４  コンテキスト記憶部、２５  コンテキスト送信原因発生検出部、３０  移動局装置、２２０  ＲＳＶＰスチール部、２２１  圧縮解凍処理部、２２２  コンテキスト送信部、２５０  交換機状態判断部、２５１  ハンドオーバ先候補取得部、２５２  通信状態情報取得部、２５３  処理量取得部。
【図１】
0004684131.tif 000002
【図２】
0004684131.tif 000003
【図３】
0004684131.tif 000004